(57)【要約】【課題】簡単な構成により、光源から照射された光線の光線束の間隔を狭めることにより、投射型映像表示装置を小型化する。【解決手段】映像を投影する投射型映像表示装置は、光源部３１および照明光学部を備える。光源部３１は、第１のバンク群４０、第２のバンク群４１、および光線束間隔縮小部を有する。第１のバンク群４０および第２のバンク群４１は、照明光を発生するレーザダイオード８８がアレイ状にそれぞれ配列される。光線束間隔縮小部は、第１のミラー群４２、第２のミラー群４３、およびプリズム群４４を有し、第１のバンク群４０および第２のバンク群４１から照射された光線束を折り返して光線束の間隔を狭める。【選択図】図３
2019086532.tif 000002
【特許請求の範囲】
【請求項１】
映像を投影する投射型映像表示装置であって、
投射用の照明光を発生する光源部と、
前記光源部が発生した照明光を集光し、均一化して照射する照明光学部と、
を備え、
前記光源部は、
前記照明光を発生する発光素子がアレイ状に配列された第１の光源群および第２の光源群と、
前記第１の光源群および前記第２の光源群から照射された光線束を折り返して前記光線束の間隔を狭める光線束間隔縮小部と、
を有する、投射型映像表示装置。
【請求項２】
請求項１記載の投射型映像表示装置において、
前記光線束間隔縮小部は、
光線束を屈折させるプリズム群と、
前記第１の光源群の光軸上に設けられ、前記第１の光源群から照射された光線束を反射させて前記光線束の間隔を第１の方向に狭める第１のミラー群と、
前記第２の光源群の光軸上に設けられ、前記第２の光源群から照射された光線束を反射させて前記光線束の間隔を前記第１の方向に狭める第２のミラー群と、
を有し、
前記プリズム群は、前記第１のミラー群および前記第２のミラー群が反射した前記光線束の間隔を前記第１の方向と直交する方向である第２の方向に狭めて前記照明光学部に出射する、投射型映像表示装置。
【請求項３】
請求項２記載の投射型映像表示装置において、
前記第１の光源群および前記第２の光源群は、前記発光素子が配置される面である照射面が対向するように設けられ、
前記プリズム群は、前記第１の光源群および前記第２の光源群と直角をなすように設けられる、投射型映像表示装置。
【請求項４】
請求項１記載の投射型映像表示装置において、
前記光線束間隔縮小部は、
前記第１の光源群の光軸上に設けられ、前記第１の光源群から照射された光線束を屈折させて前記光線束の間隔を第１の方向に狭める第１のプリズム群と、
前記第２の光源群の光軸上に設けられ、前記第２の光源群から照射された光線束を屈折さて前記光線束の間隔を前記第１の方向に狭める第２のプリズム群と、
前記第１のプリズム群および前記第２のプリズム群から出射された前記光線束を反射させて前記光線束の間隔を前記第１の方向と直交する方向である第２の方向に狭めて前記照明光学部に出射するミラー群と、
を有する、投射型映像表示装置。
【請求項５】
請求項４記載の投射型映像表示装置において、
前記第１の光源群および前記第２の光源群は、前記発光素子が配置される面である照射面が対向するように設けられる、投射型映像表示装置。
【請求項６】
請求項４記載の投射型映像表示装置において、
前記第１の光源群および前記第２の光源群は、前記発光素子が配置される面である照射面が同一平面となるように配置される、投射型映像表示装置。
【請求項７】
請求項４記載の投射型映像表示装置において、
前記第１の光源群および前記第２の光源群は、前記発光素子が配置される面である照射面がＬ字状に設けられる、投射型映像表示装置。
【請求項８】
請求項７記載の投射型映像表示装置において、
前記ミラー群は、前記第２のプリズム群から出射された前記光線束を反射させて前記光線束の間隔を前記第１の方向と直交する方向である前記第２の方向に狭めて前記照明光学部に出射する、投射型映像表示装置。
【請求項９】
請求項７記載の投射型映像表示装置において、
前記ミラー群は、偏光特性を有するミラーであり、前記第２のプリズム群から出射された前記光線束を反射させて前記照明光学部に出射し、前記第２のプリズム群から出射された前記光線束を透過させて前記照明光学部に出射する、投射型映像表示装置。
【請求項１０】
請求項７記載の投射型映像表示装置において、
前記第１の光源群は、行方向の前記発光素子の数が前記第２の光源群が有する列方向の前記発光素子の数と同じであり、列方向の前記発光素子の数が前記第２の光源群が有する行方向の前記発光素子の数と同じとなるように配置され、
前記第１のプリズム群は、前記第１の光源群から照射された光線束を屈折させて前記光線束の間隔を第１の方向に狭めて前記照明光学部に出射し、
前記第２のプリズム群は、前記第２の光源群から照射された光線束を屈折させて前記光線束の間隔を前記第１の方向と直交する方向である前記第２の方向に狭めて前記照明光学部に出射する、投射型映像表示装置。
【請求項１１】
請求項２〜９のいずれか１項に記載の投射型映像表示装置において、
前記第１の光源群および前記第２の光源群がそれぞれ有する前記発光素子は、レーザダイオードである、投射型映像表示装置。
【発明の詳細な説明】
【技術分野】
【０００１】
本発明は、投射型映像表示装置に関し、特に、投射型映像表示装置が有する光源部の小型化に有効な技術に関する。
【背景技術】
【０００２】
近年、スクリーンなどに映像を投射する投影型映像表示装置、すなわちプロジェクタなどでは、画像の高輝度化や高解像化などの要望に伴い、可視光の半導体レーザ、いわゆるレーザダイオードを光源として用いたものが注目されている。
【０００３】
この種の光源を用いたプロジェクタでは、複数のレーザダイオードなどの光源を単純に配列しただけでは、光源の後段に設けられる投射レンズなどの集まった光線束径が大きくなってしまい、輝度あるいは明度が低くなってしまう恐れがある。
【０００４】
そのため、輝度あるいは明度が低くなることを防止する技術として、例えば複数枚のミラーを設け、該ミラーによって光源からの光線を複数回折り曲げて光線間隔を縮めることによって、集光光線束を縮小するものがある（例えば特許文献１参照）。
【先行技術文献】
【特許文献】
【０００５】
【特許文献１】特開２０１１−１０７７２３号公報
【発明の概要】
【発明が解決しようとする課題】
【０００６】
しかしながら、特許文献１の技術では、上述したように光源からの光線を複数回折り曲げるために多数のミラーを用いている。よって、多数のミラーを配置するスペースなどが必要となってしまい、これらミラーおよび光源からなる光源部が大型化してしまうという問題がある。その結果、投射型映像表示装置の小型化に影響を及ぼしてしまう恐れがある。
【０００７】
本発明の目的は、簡単な構成により、光源から照射された光線の光線束の間隔を狭めることにより、投射型映像表示装置を小型化することのできる技術を提供することにある。
【０００８】
本発明の前記ならびにその他の目的と新規な特徴については、本明細書の記述および添付図面から明らかになるであろう。
【課題を解決するための手段】
【０００９】
本願において開示される発明のうち、代表的なものの概要を簡単に説明すれば、次のとおりである。
【００１０】
すなわち、代表的な投射型映像表示装置は、光源部および照明光学部を備える。光源部は、投射用の照明光を発生する。照明光学部は、光源部が発生した照明光を集光し、均一化して照射する。
【００１１】
また、光源部は、第１の光源群、第２の光源群、および光線束間隔縮小部を有する。第１の光源群および第２の光源部は、照明光を発生する発光素子がアレイ状にそれぞれ配列される。
【００１２】
光線束間隔縮小部は、第１の光源群および第２の光源群から照射された光線束を折り返して該光線束の間隔を狭める。
【００１３】
特に、光線束間隔縮小部は、プリズム群、第１のミラー群、および第２のミラー群を有する。プリズム群は、光線束を屈折させる。第１のミラー群は、第１の光源群の光軸上に設けられ、該第１の光源群から照射された光線束を反射させて光線束の間隔を第１の方向に狭める。
【００１４】
第２のミラー群は、第２の光源群の光軸上に設けられ、該第２の光源群から照射された光線束を反射させて光線束の間隔を第１の方向に狭める。プリズム群は、第１のミラー群および第２のミラー群が反射した光線束の間隔を第１の方向と直交する方向である第２の方向に狭めて照明光学部に出射する。  
【発明の効果】
【００１５】
本願において開示される発明のうち、代表的なものによって得られる効果を簡単に説明すれば以下のとおりである。
【００１６】
投射型映像表示装置を小型化することができる。
【図面の簡単な説明】
【００１７】
【図１】実施の形態１による投射型映像表示装置における光学系の構成の一例を示す説明図である。
【図２】図１の投射型映像表示装置が有する照明光学系における構成の一例を示す説明図である。
【図３】図２の照明光学系が有する光源部の正面方向における概観斜視図である。
【図４】図３の光源部の背面方向における概観斜視図である。
【図５】図３の矢印Ａ方向から見た光源部における側面図である。
【図６】図４の矢印Ｂ方向から見た光源部における上面図である。
【図７】実施の形態２による光源部の正面方向における概観斜視図である。
【図８】図７の光源部の背面方向における概観斜視図である。
【図９】図８の矢印Ａ方向から見た光源部における上面図である。
【図１０】図８の矢印Ｂ方向から見た光源部における側面図である。
【図１１】実施の形態３による光源部の正面方向における概観斜視図である。
【図１２】図１１の光源部の背面方向における概観斜視図である。
【図１３】図１２の矢印Ａ方向から見た光源部における上面図である。
【図１４】図１２の矢印Ｂ方向から見た光源部における側面図である。
【図１５】実施の形態４による光源部の正面方向における概観斜視図である。
【図１６】図１５の光源部の側面方向における概観斜視図である。
【図１７】図１５の矢印Ａ方向から見た光源部における上面図である。
【図１８】図１６の矢印Ｂ方向から見た光源部における側面図である。
【図１９】図１５の矢印Ｃ方向から見た光源部における側面図である。
【図２０】図１５の光源部の正面方向における他の例を示す概観斜視図である。
【図２１】図２０の光源部の側面方向における概観斜視図である。
【図２２】図２０の矢印Ａ方向から見た光源部における上面図である。
【図２３】図２１の矢印Ｂ方向から見た光源部における側面図である。
【図２４】図２０の矢印Ｃ方向から見た光源部における側面図である。
【図２５】実施の形態５による光源部の正面方向における概観斜視図である。
【図２６】図２５の光源部の背面方向における概観斜視図である。
【図２７】図２５の矢印Ａ方向から見た光源部における側面図である。
【図２８】図２６の矢印Ｂ方向から見た光源部における上面図である。
【図２９】図２６の矢印Ｃ方向から見た光源部における側面図である。
【図３０】実施の形態６による光源部の正面方向における概観斜視図である。
【図３１】図３０の光源部の背面方向における概観斜視図である。
【図３２】図３０の矢印Ａ方向から見た光源部における上面図である。
【図３３】図３１の矢印Ｂ方向から見た光源部における側面図である。
【図３４】図３０の矢印Ｃ方向から見た光源部における側面図である。
【図３５】図３０の光源部の正面方向における他の例を示す概観斜視図である。
【図３６】図３５の光源部の背面方向における概観斜視図である。
【図３７】図３５の矢印Ａ方向から見た光源部における上面図である。
【図３８】図３６の矢印Ｂ方向から見た光源部における側面図である。
【図３９】図３５の矢印Ｃ方向から見た光源部における側面図である。
【図４０】図３５の光源部の正面方向における他の例を示す概観斜視図である。
【図４１】図４０の光源部の背面方向における概観斜視図である。
【図４２】図４０の矢印Ａ方向から見た光源部における上面図である。
【図４３】図４１の矢印Ｂ方向から見た光源部における側面図である。
【図４４】図４０の矢印Ｃ方向から見た光源部における側面図である。
【図４５】実施の形態７による光源部の正面方向における概観斜視図である。
【図４６】図４５の光源部の背面方向における概観斜視図である。
【図４７】図４５の矢印Ａ方向から見た光源部における上面図である。
【図４８】図４６の矢印Ｂ方向から見た光源部における側面図である。
【図４９】図４５の矢印Ｃ方向から見た光源部における側面図である。
【発明を実施するための形態】
【００１８】
実施の形態を説明するための全図において、同一の部材には原則として同一の符号を付し、その繰り返しの説明は省略する。
【００１９】
(実施の形態１)
以下、実施の形態を詳細に説明する。
【００２０】
〈投射型映像表示装置の光学系の構成例〉
図１は、本実施の形態１による投射型映像表示装置１０における光学系の構成の一例を示す説明図である。
【００２１】
投射型映像表示装置１０は、スクリーンなどに映像を投射する映像表示装置である。投射型映像表示装置１０は、照明光学系３０、色分離光学系、光変調部、および投射光学系から構成される。
【００２２】
色分離光学系は、図１に示すように、ダイクロイックミラー１１ａ，１１ｂ、反射ミラー１２ａ，１２ｂ，１２ｃ、およびフィールドレンズ１３ａ，１３ｂ，１３ｃから構成されている。この色分離光学系は、照明光学系３０により形成された照明光を赤（Ｒ）、緑（Ｇ）、青（Ｂ）の３色に分離するとともに、各色光を後段の光変調部に導く。
【００２３】
具体的には、まず、ダイクロイックミラー１１ａは、Ｒ、Ｇ、Ｂの３色のうち、Ｒ光およびＧ光を透過させ、Ｂ光を反射する。また、ダイクロイックミラー１１ａは、Ｒ光およびＧ光の２色のうち、Ｇ光を反射してＲ光を透過させる。
【００２４】
次に、この色分離光学系において、ダイクロイックミラー１１ａを反射したＢ光は、リレーレンズ１４ａ、反射ミラー１２ａを経てフィールドレンズ１３ａに入射する。フィールドレンズ１３ａは、入射角度を調節するレンズである。
【００２５】
また、ダイクロイックミラー１１ａにて透過され、さらに、ダイクロイックミラー１１ｂによって反射されたＧ光は、フィールドレンズ１３ｂに入射する。フィールドレンズ１３ｂは、入射角度を調節するレンズである。
【００２６】
ダイクロイックミラー１１ｂを透過したＲ光は、リレーレンズ１４ｂ、反射ミラー１２ｂ、リレーレンズ１４ｃ、および反射ミラー１２ｃを経てフィールドレンズ１３ｃに入射する。フィールドレンズ１３ｃは、入射角度を調節するレンズである。
【００２７】
光変調部は、液晶パネル１５ａ，１５ｂ、１５ｃ、第１偏光フィルタ１６ａ，１６ｂ，１６ｃ、および第２偏光フィルタ１７ａ，１７ｂ，１７ｃから構成されている。液晶パネル１５ａ，１５ｂ，１５ｃは、色分離光学系から射出された各色光に対応してそれぞれ照明される。
【００２８】
第１偏光フィルタ１６ａ，１６ｂ，１６ｃは、液晶パネル１５ａ，１５ｂ，１５ｃの入射側にそれぞれ配置される。第２偏光フィルタ１７ａ，１７ｂ，１７ｃは、液晶パネル１５ａ，１５ｂ，１５ｃの射出側にそれぞれ配置される。
【００２９】
ダイクロイックミラー１１ａを反射したＢ光は、フィールドレンズ１４ａなどを介して液晶パネル１５ａに入射して照明する。ダイクロイックミラー１１ａにて透過され、ダイクロイックミラー１１ｂによって反射されたＧ光は、フィールドレンズ１３ｂなどを介して液晶パネル１５ｂに入射して照明する。
【００３０】
ダイクロイックミラー１１ａ，１１ｂにて透過したＲ光は、フィールドレンズ１３ｃなどを介して液晶パネル１５ｃに入射して照明する。各々の液晶パネル１５ａ，１５ｂ，１５ｃは、入射した照明光の空間的強度分布を変調する。また、液晶パネル１５ａ，１５ｂ，１５ｃにそれぞれ入射した３色の光は、電気的信号として入力された駆動信号あるいは画像信号に応じて変調される。
【００３１】
この際、第１偏光フィルタ１６ａ，１６ｂ，１６ｃによって、液晶パネル１５ａ，１５ｂ，１５ｃに入射する照明光の偏光方向が調整されるとともに、第２偏光フィルタ１７ａ，１７ｂ，１７ｃによって、液晶パネル１５ａ，１５ｂ，１５ｃから射出される変調光から所定の偏光方向の変調光が取り出される。以上により、それぞれに対応する各色の変調光が形成される。
【００３２】
クロスダイクロイックプリズム１８は、各色の光変調装置からの変調光を合成する。投射レンズ１９は、クロスダイクロイックプリズム１８を経て形成された合成光による画像光を所望の拡大率で拡大して図示しないスクリーン上にカラーの画像を投射する。
【００３３】
〈照明光学系の構成例〉
図２は、図１の投射型映像表示装置１０が有する照明光学系３０における構成の一例を示す説明図である。
【００３４】
照明光学系３０は、光源部３１および照明光学部を有する。は、照明光学部は、コンデンサレンズ３２、凹レンズ３３、マルチレンズ３４，３５、偏光ダイクロミラー３６、コリメートレンズ３７，３８、コリメートレンズ２０，２１、マルチレンズ２２，２３、重畳レンズ２４、蛍光ホイール２５、および拡散板２６を有する。
【００３５】
光源部３１は、投射用の照明光を発生する。照明光学部は、光源部３１にて発生した照明光を集光し、より均一化して前述した光変調部に照射する光学系である。光源部３１が発生した照明光の光線束は、コンデンサレンズ３２によって集光された後、凹レンズ３３によって平行光にされる。平行光は、マルチレンズ３４，３５を介して偏光ダイクロミラー３６に入射する。
【００３６】
これらマルチレンズ３４，３５は、照射面である蛍光ホイール２５および拡散板２６への照度の均一性を高めるレンズである。偏光ダイクロミラー３６は、蛍光ホイール２５と拡散板２６とに行く光を分けるミラーである。
【００３７】
コリメートレンズ３７，３８は、偏光ダイクロミラー３６からの光を集光させて、蛍光ホイール２５に照射する。蛍光ホイール２５は、光が照射された際に蛍光を発光して、コリメートレンズ３７側に反射させる。その際、コリメートレンズ３７，３８によって発散光である蛍光を平行光にする。
【００３８】
コリメートレンズ２０，２１は、光を拡散板２６に集光するレンズである。拡散板２６は、例えば発光素子である後述するレーザダイオード８８などのコヒーレントなレーザ光を拡散してインコヒーレント光にしてコリメートレンズ２１側に反射させる。レーザダイオード８８が発生したレーザ光は、照明光となる。反射された光は、コリメートレンズ２０，２１にて平行光となる。
【００３９】
マルチレンズ２２，２３は、図１の液晶パネル１５ａ，１５ｂ，１５ｃへの照度の均一性を高めるレンズである。重畳レンズ２４は、光を収束させて図１の光変調部の被照射領域に照明するレンズである。
【００４０】
〈光源部の構成例〉
図３は、図２の照明光学系３０が有する光源部３１の正面方向における概観斜視図である。図４は、図３の光源部３１の背面方向における概観斜視図である。図５は、図３の矢印Ａ方向から見た光源部３１における側面図である。図６は、図４の矢印Ｂ方向から見た光源部３１における上面図である。なお、ここでは、光源部３１が発生する照明光の出射側を正面と定義する。
【００４１】
光源部３１は、図３〜図６に示すように、第１のバンク群４０、第２のバンク群４１、第１のミラー群４２、第２のミラー群４３、およびプリズム群４４から構成されている。第１の光源群である第１のバンク群４０は、３つのレーザダイオードバンク４５〜４７を有する。同様に第２の光源群である第２のバンク群４１においても、３つのレーザダイオードバンク４８〜５０を有する。
【００４２】
また、第１のミラー群４２は、３枚のミラー５１を有しており、第２のミラー群４３においても、同様に３枚のミラー５５を有する。プリズム群４４は、リズム５９〜６２を有する。
【００４３】
レーザダイオードバンク４５は、直方体からなり、該直方体のある面には、光源である８個のレーザダイオード８８がアレイ状に配列して設けられている。レーザダイオードバンク４５におけるレーザダイオード８８がアレイ状に配列された面を照射面という。
【００４４】
レーザダイオード８８は、半導体レーザであり、光を発生する。この場合、図３に示すように、８個のレーザダイオード８８は、第２の方向である列方向に２個のレーザダイオード８８が設けられ、第１の方向である行方向に４個のレーザダイオード８８が設けられている。ここで、列方向を第１の方向とした場合には、行方向が第２の方向となる。
【００４５】
第１のバンク群４０のレーザダイオードバンク４６，４７および第２のバンク群４１のレーザダイオードバンク４８〜５０の構成についても、上述したレーザバンクダイオード４５と同様の構成となっている。
【００４６】
なお、ここでは、第１のバンク群４０および第２のバンク群４１が３つのレーザダイオードバンクからそれぞれ構成され、各レーザダイオードバンクには、列方向に２個、行方向に４個のレーザダイオード８８がそれぞれ設けられた構成としたが、第１のバンク群４０および第２のバンク群４１が有するレーザダイオードバンクの数およびレーザダイオード８８の行列数については、特に制限はない。また、レーザダイオードバンクが有するレーザダイオードの数についても制限はない。
【００４７】
例えば第１のバンク群４０および第２のバンク群４２を１つのレーザダイオードバンクによって構成してもよいし、あるいは２つのレーザダイオードバンクによってそれぞれ構成するようにしてもよい。
【００４８】
第１のバンク群４０においては、レーザダイオード８８が２列×４行に配列されたレーザダイオードバンク４５〜４７が図３において上下方向に積層された構造からなる。この例の場合、レーザダイオードバンク４７が最下層となり、該レーザバンクダイオード４７の上方には、レーザダイオードバンク４６が積層されている。
【００４９】
そして、レーザダイオードバンク４６の上方には、レーザダイオードバンク４５が積層されている。よって、第１のバンク群４０全体としては、列方向に６個のレーザダイオード８８が設けられ、行方向には４個のレーザダイオードバンク４６が設けられた構成となる。
【００５０】
同様に、第２のバンク群４１においても、レーザダイオード８８が２列×４行に配列されたレーザダイオードバンク４８〜５０が図３において上下方向に積層された構造からなる。レーザダイオードバンク５０が最下層となり、該レーザバンクダイオード５０の上方には、レーザダイオードバンク４９が積層されている。
【００５１】
そして、レーザダイオードバンク４９の上方には、レーザダイオードバンク４８が積層されている。よって、第２のバンク群４１全体としては、第１のバンク群４０と同様に、列方向に６個のレーザダイオード８８が設けられ、行方向には４個のレーザダイオードバンク４６が設けられた構成となる。
【００５２】
第１のバンク群４０と第２のバンク群４１とは、それぞれ対向するように配置されている。言い換えれば、レーザダイオードバンク４５〜４７の照射面とレーザダイオードバンク４８〜５０の照射面とが同じ位置にそれぞれ対向している。
【００５３】
第１のミラー群４２の４枚のミラー５１および第２のミラー群４３の４枚のミラー５５は、それぞれ長方形状からなる。ミラー５１は、レーザダイオードバンク４５〜４７の照射面に対してある角度、例えば４５°程度の角度を付けてそれぞれ配置されている。言い換えれば、レーザダイオード８８の光軸に対して４５°程度の角度を付けて配置されている。
【００５４】
これらミラー５１は、第１のバンク群４０が有するレーザダイオード８８の列毎にそれぞれ対応するように順次ずらして配置されており、各ミラー５１によって列方向に配置されているレーザダイオード８８が発生した光をそれぞれ反射させて９０°程度折り曲げてプリズム５９〜６２に入射させる。
【００５５】
このように、ミラー５１によってレーザダイオード８８が発生した光をそれぞれ反射させることにより、行方向のレーザダイオード８８が発生する光線束の間隔を狭めることができる。
【００５６】
図６に示すように、行方向におけるレーザダイオード８８の間隔、すなわちレーザダイオード８８の行方向における光線束の間隔は、距離Ｌ１であるが、ミラー５１によってそれぞれ反射された後の光線束の間隔は、距離Ｌ１よりも短い距離Ｌ２にすることができる。
【００５７】
ミラー５５は、レーザダイオードバンク４８〜５０の照射面に対してある角度、例えば４５°程度の角度を付けてそれぞれ配置されている。これらミラー５５は、第２のバンク群４１が有するレーザダイオード８８の列毎にそれぞれ対応するように順次ずらして配置されており、各ミラー５５によってレーザダイオード８８が発生した光をそれぞれ反射させて９０°程度折り曲げてプリズム５９〜６２に入射させる。
【００５８】
ミラー５１の場合と同様に、ミラー５５によってレーザダイオード８８が発生した光をそれぞれ反射させることにより、行方向のレーザダイオード８８が発生する光線束の間隔を狭めることができる。
【００５９】
ミラー５１およびミラー５５によって反射された光は、プリズム群４４にそれぞれ入射される。プリズム群４４は、レーザダイオードバンク４５〜４７，４８〜５０と直角をなすように配置されている。
【００６０】
プリズム群４４において、図５に示すように、プリズム５９の下方には、プリズム６０が設けられており、該プリズム６０の下方には、プリズム６１が設けられている。プリズム６１の下方には、プリズム６２が設けられている。
【００６１】
また、プリズム５９〜６２は、隣り合うプリズムが干渉しないように、それぞれの位置をずらして配置されている。これによって、体積が大きいプリズムなどであっても、光源部３１を小型化することができる。
【００６２】
これらプリズム５９〜６２には、ミラー５１およびミラー５５が反射した光がそれぞれ入射される。プリズム５９〜６２は、入射された光を屈折して出射する。
【００６３】
具体的には、プリズム５９には、ミラー５１が反射したレーザダイオードバンク４５の上部のレーザダイオード８８が発生した光およびミラー５５が反射したレーザダイオードバンク４８の上部のレーザダイオード８８が発生した光がそれぞれ入射される。
【００６４】
プリズム６０には、ミラー５１が反射したレーザダイオードバンク４５の下方のレーザダイオード８８が発生した光、ミラー５１が反射したレーザダイオードバンク４６の上方のレーザダイオード８８が発生した光、ミラー５５が反射したレーザダイオードバンク４８の下方のレーザダイオード８８が発生した光、ミラー５１が反射したレーザダイオードバンク４９の上方のレーザダイオード８８が発生した光がそれぞれ入射される。
【００６５】
プリズム６１には、ミラー５１が反射したレーザダイオードバンク４７の上部のレーザダイオード８８が発生した光およびミラー５５が反射したレーザダイオードバンク５０の上部のレーザダイオード８８が発生した光がそれぞれ入射される。
【００６６】
プリズム６２には、ミラー５１が反射したレーザダイオードバンク４７の下部のレーザダイオード８８が発生した光およびミラー５５が反射したレーザダイオードバンク５０の下部のレーザダイオード８８が発生した光がそれぞれ入射される。ミラー５１が反射したレーザダイオードバンク４６，４９の下部のレーザダイオード８８が発生した光は、いずれのプリズムにも入射されない。
【００６７】
プリズム群４４に入射した光線束は、プリズム５９〜６２によってそれぞれ屈折されて光線束の間隔が狭められる。具体的には、プリズム５９〜６２によって列方向の光線束の間隔が狭められる。
【００６８】
例えば図５に示すように、プリズム５９，６０に入射される前の列方向の光線束の間隔は、距離Ｌ３であるが、プリズム５９，６０によって屈折された列方向の光線束の間隔は、距離Ｌ３よりも短い間隔である距離Ｌ４とすることができる。これによって、列方向の光線束の間隔を狭めることができる。
【００６９】
このように、ミラー５１、およびミラー５５によって行方向の光線束の間隔を狭め、プリズム５９〜６２によって列方向における光線束の間隔を狭めることができる。光線束の間隔が狭まることにより、図２のコンデンサレンズ３２の口径を小さくすることができる。
【００７０】
その結果、コンデンサレンズ３２を小型化することができる。また、コンデンサレンズ３２が小型化されることにより、図２の照明光学系３０の光路長を縮小することが可能となるとともに、照明光学系３０におけるコンデンサレンズ３２以降の各部品を小型化することができる。それにより、照明光学系３０を小型軽量化することができ、投射型映像表示装置１０の小型化に貢献することができる。
【００７１】
（実施の形態２）
図７は、本実施の形態２による光源部３１の正面方向における概観斜視図である。図８は、図７の光源部３１の背面方向における概観斜視図である。図９は、図８の矢印Ａ方向から見た光源部３１における上面図である。図１０は、図８の矢印Ｂ方向から見た光源部３１における側面図である。なお、ここでも、光源部３１が発生する照明光の出射側を正面と定義する。
【００７２】
〈光源部の構成例〉
光源部３１は、前記実施の形態１の図２と同様に、照明光学系３０に設けられる。図７〜図１０に示す光源部３１が、前記実施の形態１の図３〜図６に示す光源部３１と異なる点は、最初にプリズムにて光線束を屈折させて列方向の光線束の間隔を狭めた後、ミラーによってさらに行方向の光線束の間隔を狭めているところである。
【００７３】
第１のバンク群４０、第２のバンク群４１、第１のミラー群４２、および第２のミラー群４３の構成および配置については、前記実施の形態１の図３〜図６と同様であるので、説明は省略する。
【００７４】
図７〜図１０に示すように、光源部３１において、プリズム群４４は、プリズム５９〜６２から構成されており、プリズム群４４ａは、プリズム６３〜６６から構成されている。
【００７５】
レーザダイオードバンク４５〜４７の照射面側には、該照射面と対向するようにプリズム群４４のプリズム５９〜６２がそれぞれ設けられている。また、レーザダイオードバンク４８〜５０の照射面側には、該照射面と対向するようにプリズム群４４ａのプリズム６３〜６６がそれぞれ設けられている。プリズム５９〜６２およびプリズム６３〜６６は、隣り合うプリズムが干渉しないように、それぞれの位置をずらして配置されている。
【００７６】
図１０に示すように、プリズム５９には、レーザダイオードバンク４８の上部のレーザダイオード８８が発生した光が入射される。プリズム６０には、レーザダイオードバンク４８の下部のレーザダイオード８８が発生した光およびレーザダイオードバンク４９の上部のレーザダイオード８８が発生した光がそれぞれ入射される。レーザダイオードバンク４９の下部のレーザダイオード８８が発生した光はプリズムには入射されない。
【００７７】
プリズム６１には、レーザダイオードバンク５０の上部のレーザダイオード８８が発生した光が入射され、プリズム６２には、レーザダイオードバンク５０の下部のレーザダイオード８８が発生した光が入射される。
【００７８】
プリズム６３には、レーザダイオードバンク４５の上部のレーザダイオード８８が発生した光が入射される。プリズム６４には、レーザダイオードバンク４５の下部のレーザダイオード８８が発生した光およびレーザダイオードバンク４６の上部のレーザダイオード８８が発生した光がそれぞれ入射される。レーザダイオードバンク４６の下部のレーザダイオード８８が発生した光はプリズムには入射されない。
【００７９】
プリズム６５には、レーザダイオードバンク４７の上部のレーザダイオード８８が発生した光が入射される。プリズム６６には、レーザダイオードバンク４７の下部のレーザダイオード８８が発生した光が入射される。
【００８０】
この場合、レーザダイオード８８が発生した光は、すぐにプリズム５９〜６２およびプリズム６３〜６６によってそれぞれ屈折された後、第１のミラー群４２および第２のミラー群４３によって反射される構成となっている。
【００８１】
このように、光が拡散する前にプリズム５９〜６２，６３〜６６を通過させることにより、プリズム５９〜６２，６３〜６６、すなわちプリズム群４４，４４ａをそれぞれ小型化することができる。これにより、照明光学系３０をより小型化することができる。
【００８２】
（実施の形態３）
図１１は、本実施の形態３による光源部３１の正面方向における概観斜視図である。図１２は、図１１の光源部３１の背面方向における概観斜視図である。図１３は、図１２の矢印Ａ方向から見た光源部３１における上面図である。図１４は、図１２の矢印Ｂ方向から見た光源部３１における側面図である。なお、ここでも、光源部３１が発生する照明光の出射側を正面と定義する。
【００８３】
〈光源部の構成例〉〉
光源部３１は、前記実施の形態１の図２と同様に、照明光学系３０に設けられる。光源部３１は、図１１〜図１４に示すように、第１のバンク群４０、第２のバンク群４１、第１のミラー群４２、第２のミラー群４３、およびプリズム群４４，４４ａを有する。
【００８４】
第１のバンク群４０および第２のバンク群４１は、前記実施の形態２の図７〜図１０と同様にレーザダイオードバンク４５〜４７およびレーザダイオードバンク４８〜５０を有する。
【００８５】
前記実施の形態２では、レーザダイオードバンク４５〜４７，４８〜５０がそれぞれ図７において上下方向に積層されて配置されていたが、本実施の形態３における光源部３１の場合には、図１１において水平方向にレーザダイオードバンク４５〜４７およびレーザダイオードバンク４８〜５０がそれぞれ積層された構成となっている。
【００８６】
よって、この場合、レーザダイオードバンク４５〜４７およびレーザダイオードバンク４８〜５０は、列方向に４個のレーザダイオード８８がそれぞれ設けられ、行方向に２個のレーザダイオード８８がそれぞれ設けられた構成となる。
【００８７】
プリズム群４４は、プリズム５９，６０から構成されており、プリズム群４４ａは、プリズム６４，６５から構成されている。第１のミラー群４２は、６枚のミラー５１から構成されており、第２のミラー群４３は、６枚のミラー５５から構成されている。
【００８８】
プリズム群４４は、レーザダイオードバンク４５〜４６の照射面側に取り付けられており、該プリズム５９の長辺がレーザダイオードバンク４５〜４６の長辺と直交するように配置されている。
【００８９】
プリズム５９の下方には、プリズム６０が設けられている。プリズム６０においても、該プリズム６０の長辺がレーザダイオードバンク４５〜４６の長辺と直交するように配置されている。
【００９０】
プリズム群４４ａは、レーザダイオードバンク４８〜５０の照射面に取り付けられており、プリズム６４の長辺がレーザダイオードバンク４８〜５０の長辺と直交するように配置されている。
【００９１】
プリズム６４の下方には、プリズム６５が設けられている。プリズム６５においても、その長辺がレーザダイオードバンク４８〜５０の長辺と直交するようにそれぞれ配置されている。
【００９２】
ミラー５１およびミラー５５の配置については、前記実施の形態１の図４〜図６と同様であり、レーザダイオードバンク４５〜４７，４８〜５０の照射面に対して例えば４５°程度の角度を付けて順次ずらしてそれぞれ配置されている。
【００９３】
プリズム５９は、レーザダイオードバンク４５〜４７の上部２行のレーザダイオード８８の光を屈折させて光線束の間隔を狭める。プリズム６０は、レーザダイオードバンク４５〜４７の下部２行のレーザダイオード８８の光を屈折させて光線束の間隔を狭める。これにより、プリズムの数を削減することができる。
【００９４】
プリズム６４は、レーザダイオードバンク４８〜５０の上部２行のレーザダイオード８８の光を屈折させて光線束の間隔を狭める。プリズム６５は、レーザダイオードバンク４８〜５０の下部２行のレーザダイオード８８の光を屈折させて光線束の間隔を狭める。
【００９５】
プリズム５９，６０およびプリズム６４，６５によって列方向の光線束の間隔がそれぞれ狭められた後、ミラー５１およびミラー５５によって行方向の光線束の間隔が狭められてコンデンサレンズ３２に出射される。
【００９６】
この場合、前記実施の形態１と同様の効果に加えて、プリズム５９，６０，６４，６５は、同じ種類のプリズムを用いることができる。その結果、光源部３１のコストを低減することができる。
【００９７】
（実施の形態４）
図１５は、本実施の形態４による光源部３１の正面方向における概観斜視図である。図１６は、図１５の光源部３１の側面方向における概観斜視図である。図１７は、図１５の矢印Ａ方向から見た光源部３１における上面図である。図１８は、図１６の矢印Ｂ方向から見た光源部３１における側面図である。図１９は、図１５の矢印Ｃ方向から見た光源部３１における側面図である。なお、ここでも、光源部３１が発生する照明光の出射側を正面と定義する。
【００９８】
〈光源部の構成例〉
前記実施の形態１〜３では、第１のバンク群４０の照射面と第２のバンク群４１の照射面とが対向するように配置されていたが、本実施の形態４の光源部３１は、例えば第１のバンク群４０と第２のバンク群４１とが対向していない配置となっている。
【００９９】
図１５〜図１９に示す光源部３１は、第１のバンク群４０、第２のバンク群４１、ミラー群８０、およびプリズム群４４，４４ａから構成されている。第１のバンク群４０および第２のバンク群４１の構成は、図１１と同じであるが、図１５〜図１９に示す光源部３１では、第１のバンク群４０の上方に第２のバンク群４１が積層された構成となっている。
【０１００】
すなわち、第１のバンク群４０は、レーザダイオードバンク４５〜４７が図１５において水平方向にそれぞれ配列されており、第２のバンク群４１は、レーザダイオードバンク４８〜５０が図１５において水平方向にそれぞれ配列されている。
【０１０１】
そして、第１のバンク群４０の上方に第２のバンク群４１が積層された構成となっている。すなわち、レーザダイオードバンク４５の上方にはレーザダイオードバンク４８が配置されており、レーザダイオードバンク４６の上方にはレーザダイオードバンク４９が配置されている。そして、レーザダイオードバンク４７の上方にはレーザダイオードバンク５０が配置されている。
【０１０２】
また、レーザダイオードバンク４５〜４７の照射面側には、プリズム群４４を構成するプリズム５９，６０が干渉しないように位置をずらしてそれぞれ設けられている。レーザダイオードバンク４８〜５０の照射面側には、プリズム群４４ａを構成するプリズム６４〜６５が干渉しないように位置をずらしてそれぞれ設けられている。
【０１０３】
ミラー群８０は、６枚のミラー５２から構成されている。これらミラー５２の配置については、前記実施の形態１〜３と同様であり、レーザダイオードバンク４５〜４７，４８〜５０の照射面に対して例えば４５°程度の角度を付けて順次ずらして配置されている。
【０１０４】
プリズム群４４ａにおいて、プリズム６６は、レーザダイオードバンク４８〜５０の上部行のレーザダイオード８８の光を屈折させて光線束の間隔を狭める。プリズム６５は、レーザダイオードバンク４８〜５０の２行のレーザダイオード８８の光を屈折させて光線束の間隔を狭める。
【０１０５】
プリズム６４は、レーザダイオードバンク４８〜５０の下部２行のレーザダイオード８８の光を屈折させて光線束の間隔を狭める。レーザダイオードバンク４５〜４７の上部１行のレーザダイオード８８の光は、プリズムに入射されずにミラー５２によって反射される。
【０１０６】
プリズム５９は、レーザダイオードバンク４５〜４７の２行目および３行目のレーザダイオード８８の光を屈折させて光線束の間隔を狭める。プリズム６０は、レーザダイオードバンク４５〜４７の４行目のレーザダイオード８８の光を屈折させて光線束の間隔を狭める。
【０１０７】
プリズム群４４，４４ａによって列方向の間隔が狭められた光線束は、ミラー５２によってそれぞれ反射されて折り曲げられることにより、行方向の間隔が狭められて図２のコンデンサレンズ３２に出射される。
【０１０８】
このように、第１のバンク群４０と第２のバンク群４１とを積層構造とすることにより、前記実施の形態２に比べてプリズム数を削減することができる。また、コンデンサレンズ３２の口径を小さくすることができ、該コンデンサレンズの小型化に貢献することができる。
【０１０９】
〈光源部の他の構成例〉
図２０は、図１５の光源部３１の正面方向における他の例を示す概観斜視図である。図２１は、図２０の光源部３１の側面方向における概観斜視図である。図２２は、図２０の矢印Ａ方向から見た光源部３１における上面図である。図２３は、図２１の矢印Ｂ方向から見た光源部３１における側面図である。図２４は、図２０の矢印Ｃ方向から見た光源部３１における側面図である。なお、ここでも、光源部３１が発生する照明光の出射側を正面と定義する。
【０１１０】
図２０〜図２４に示す光源部３１が、図１５〜図１９に示す光源部３１と異なるところは、プリズムの数および配置である。この場合、プリズム群４４は、プリズム５９〜６１を有しており、プリズム群４４ａは、プリズム６４〜６６を有している。
【０１１１】
光源部３１において、その他の第１のバンク群４０、第２のバンク群４１、およびミラー群８０の構成配置については、上記の図１５〜図１９と同様であるので説明は省略する。
【０１１２】
プリズム群４４は、第１のバンク群４０の照射面に対向するように配置されている。プリズム群４４において、プリズム５９は、第１のバンク群４０の照射面に対向するように配置されており、プリズム５９の後方には、プリズム６０が配置されている。このプリズム６０の後方には、プリズム６１が配置されている。
【０１１３】
プリズム群４４ａは、第２のバンク群４１の照射面に対向するように配置されている。プリズム群４４ａにおいて、プリズム６４は、第２のバンク群４１の照射面に対向するように配置されており、プリズム６４の後方には、プリズム６５が配置されている。このプリズム６５の後方には、プリズム６６が配置されている。  
【０１１４】
これらプリズム５９〜６１およびプリズム６４〜６６によって、レーザダイオードバンク４５〜４７およびレーザダイオードバンク４８〜５０のレーザダイオード８８が発生した光を屈折させて列方向の光線束の間隔が狭められる。
【０１１５】
そして、列方向の間隔が狭められた光線束は、６枚のミラー５２によってそれぞれ反射されて折り曲げられることにより、行方向の間隔が狭められて図２のコンデンサレンズ３２に出射される。
【０１１６】
以上によっても、コンデンサレンズ３２の口径を小さくすることができ、該コンデンサレンズの小型化に貢献することができる。
【０１１７】
また、図２０に示す光源部３１は、図１５に示す光源部３１と比べてコンデンサレンズ３２に入射する光線束径をより小さくすることができるので、該コンデンサレンズ３２をより小型化することが可能となる。
【０１１８】
（実施の形態５）
図２５は、本実施の形態５による光源部３１の正面方向における概観斜視図である。図２６は、図２５の光源部３１の背面方向における概観斜視図である。図２７は、図２５の矢印Ａ方向から見た光源部３１における側面図である。図２８は、図２６の矢印Ｂ方向から見た光源部３１における上面図である。図２９は、図２６の矢印Ｃ方向から見た光源部３１における側面図である。なお、ここでも、光源部３１が発生する照明光の出射側を正面と定義する。
【０１１９】
〈光源部の構成例〉
本実施の形態５における図２５〜図２９に示す光源部３１は、前記実施の形態３の図１１に示す光源部３１と同様の構成からなるが、第１のバンク群４０および第２のバンク群４１の配置が異なっている。
【０１２０】
図１１の光源部３１は、第１のバンク群４０のレーザダイオードバンク４５〜４７の照射面と第２のバンク群４１のレーザダイオードバンク４８〜５０の照射面がそれぞれ正面となるように向かい合って配置されていた。
【０１２１】
一方、図２５〜図２９に示す光源部３１の場合には、第１のバンク群４０と第２のバンク群４１とが対向しているが、レーザダイオードバンク４５〜４７の照射面とレーザダイオードバンク４８〜５０の照射面との位置が図２６において垂直方向にずれるように配置されている。
【０１２２】
第１のバンク群４０、第２のバンク群４１、およびプリズム群４４，４４ａの構成配置については、図１１と同様であるが、第１のミラー群４２、第２ミラー群４３の配置については、図１１と異なっている。
【０１２３】
第１ミラー群４２は、６枚のミラー５１を有しており、第２ミラー群４３についても、６枚のミラー５５を有する。そして、レーザダイオードバンク４５〜４７とレーザダイオードバンク４８〜５０とが図２５において垂直方向にずらされて配置されることに伴い、ミラー５１およびミラー５５についても、図２５において垂直方向にずらされてそれぞれ配置されている。
【０１２４】
第１のミラー群４２の６枚のミラー５１は、第１のバンク群４０のレーザダイオードバンク４５〜４７におけるレーザダイオード８８の列方向毎に対応するように順次ずらして設けられている。
【０１２５】
また、第２のバンク群４１の６枚のミラー５５は、第２のバンク群４１のレーザダイオードバンク４８〜５０におけるレーザダイオード８８の列方向毎に対応するように順次ずらして設けられている。
【０１２６】
このように、レーザダイオード８８の列毎に対応するようにミラー５１およびミラー５５を図２８に示すように、クロス状に配置することにより、光線束の集光効率を向上させることができる。
【０１２７】
ミラー５５は、プリズム６４，６５によって間隔が狭められたレーザダイオードバンク４８〜５０の列方向の光線束をそれぞれ折り曲げてコンデンサレンズ３２に入射させる。ミラー５１は、プリズム５９，６０によって間隔が狭められたレーザダイオードバンク４５〜４７の列方向の光線束を折り曲げてコンデンサレンズ３２に入射させる。
【０１２８】
（実施の形態６）
図３０は、本実施の形態６による光源部３１の正面方向における概観斜視図である。図３１は、図３０の光源部３１の背面方向における概観斜視図である。図３２は、図３０の矢印Ａ方向から見た光源部３１における上面図である。図３３は、図３１の矢印Ｂ方向から見た光源部３１における側面図である。図３４は、図３０の矢印Ｃ方向から見た光源部３１における側面図である。なお、ここでも、光源部３１が発生する照明光の出射側を正面と定義する。
【０１２９】
〈光源部の構成例〉
本実施の形態６において、光源部３１は、第１のバンク群４０および第２のバンク群４１が図３２に示すように上方から見るとＬ字状に配置されている。第１のバンク群４０および第２のバンク群４１は、前記実施の形態５の図２５とそれぞれ同様の構成からなる。
【０１３０】
上述したように、光源部３１は、図３０〜図３４に示すように、第１のバンク群４０と第２のバンク群４１とがＬ字状に配置されている。さらに、第１のバンク群４０と第２のバンク群４１とは、図３３において垂直方向にずれて設けられている。
【０１３１】
プリズム群４４は、プリズム９０〜９５から構成されており、プリズム群４４ａは、プリズム９６〜１０１から構成されている。プリズム群４４は、第１のバンク群４０の照射面側に設けられている。プリズム群４４において、プリズム９０は、第１のバンク群４０の照射面の上方に設けられており、該プリズム９０の下方には、プリズム９１が設けられている。
【０１３２】
これらプリズム９０，９１の後方には、プリズム９２，９３がそれぞれ設けられている。プリズム９２の後方にはプリズム９４が設けられており、プリズム９３の後方には、プリズム９５が設けられている。
【０１３３】
プリズム群４４ａは、第２のバンク群４１の照射面側に設けられている。プリズム群４４ａにおいて、プリズム９６は、第２のバンク群４１の照射面の上方に設けられており、該プリズム９６の下方には、プリズム９７が設けられている。
【０１３４】
これらプリズム９６，９７の後方には、プリズム９８，９９がそれぞれ設けられている。プリズム９８の後方にはプリズム１００が設けられており、プリズム９９の後方には、プリズム１０１が設けられている。
【０１３５】
プリズム群４４は、レーザダイオードバンク４５〜４７における行方向の光線束を屈折させて該光線束の間隔を狭める。プリズム群４４ａは、レーザダイオードバンク４８〜５０における行方向の光線束を屈折させて該光線束の間隔を狭める。
【０１３６】
第１のバンク群４０の照射面側には、ミラー５４が設けられている。このミラー５４は、第１のバンク群４０の照射面に対して例えば４５°程度の角度を付けて配置されている。ミラー５４は、プリズム９０〜９５から射出される光線束を反射させて９０°程度折り曲げて図２のコンデンサレンズ３２に入射させる。
【０１３７】
第２のバンク群４１側に設けられるプリズム９８〜１０１は、図３０に示すように、光線束をミラー５４の上方を通過してそのままコンデンサレンズ３２に入射されるように屈折して出射する。
【０１３８】
このように、第１のバンク群４０および第２のバンク群４１をＬ字状に配置することによって、例えばレーザダイオードバンク４５〜４７とレーザダイオードバンク４８〜５０とを近づけることができる。それによって、レーザダイオードバンク４５〜４７およびレーザダイオードバンク４８〜５０に取り付けられる放熱機構などを効率よく配置することができる。
【０１３９】
例えば第１のバンク群４０と第２のバンク群４１とを対向して配置した場合には、第１のバンク群４０と第２のバンク群４１都の距離が離れてしまい、放熱機構がそれぞれに必要となるが、Ｌ字状の配置であると、放熱機構を小型化することができる。
【０１４０】
それによって、光源部３１をより小型化することができ、使用部品数の低減によるコストダウンにも貢献することができる。
【０１４１】
〈光源部の他の構成例１〉
図３５は、図３０の光源部３１の正面方向における他の例を示す概観斜視図である。図３６は、図３５の光源部３１の背面方向における概観斜視図である。図３７は、図３５の矢印Ａ方向から見た光源部３１における上面図である。図３８は、図３６の矢印Ｂ方向から見た光源部３１における側面図である。図３９は、図３５の矢印Ｃ方向から見た光源部３１における側面図である。なお、ここでも、光源部３１が発生する照明光の出射側を正面と定義する。
【０１４２】
上述した図３０〜図３４に示す光源部３１では、Ｌ字状に配置した第１のバンク群４０と第２のバンク群４１とが図３０における上下方向にずらしてそれぞれ配置された構成としたが、図３５〜図３９に示す光源部３１においては、第１のバンク群４０と第２のバンク群４１とがずらされずに配置されている構成となっている。
【０１４３】
さらに、図３０〜図３４の第１のバンク群４０では、レーザダイオードバンク４５〜４７が図３０における水平方向に積層された構成となっていたが、図３５〜図３９に示す例では、第１のバンク群４０のレーザダイオードバンク４５〜４７が図３５における上下方向に積層された構成となっている。第２バンク群４０のレーザダイオードバンク４８〜４８についても図３５における上下方向に積層された構成となっている。
【０１４４】
言い換えれば、図３０〜図３４に示したレーザダイオードバンク４５〜４７およびレーザダイオードバンク４８〜５０に対して図３５〜図３９に示すレーザダイオードバンク４５〜４７およびレーザダイオードバンク４８〜５０が９０°回転して鉛直方向に積層されている。そのため、光線束の偏光が９０°異なっている。
【０１４５】
また、プリズム群４４を構成するプリズム９０〜９５は、図３７に示すようにレーザダイオードバンク４５〜４７における行方向の光線束を屈折させて該光線束の間隔を狭めるとともに、該光線束が第１のバンク群４０の中央部に集めて図２のコンデンサレンズ３２に入射させる。
【０１４６】
プリズム群４４ａを構成するプリズム９６〜１０１は、図３７に示すようにレーザダイオードバンク４８〜５０における行方向の光線束を屈折させて該光線束の間隔を狭めるとともに、該光線束が第１のバンク群４０の中央部から外れた部分に集めてコンデンサレンズ３２に入射させる。図３７の例では、光線束が中央部から第１のバンク群４０の照射面側にオフセットして集められた例を示している。
【０１４７】
すなわち、プリズム群４４ａは、第２のバンク群４１の光線束を図３５におけるミラー５４の右側を通過してそのままコンデンサレンズ３２に入射されるように屈折して出射する。
【０１４８】
これによっても、放熱機構を小型化することができるので、光源部３１をより小型化することができ、使用部品数の低減によるコストダウンにも貢献することができる。
【０１４９】
〈光源部の他の構成例２〉
図４０は、図３５の光源部３１の正面方向における他の例を示す概観斜視図である。図４１は、図４０の光源部３１の背面方向における概観斜視図である。図４２は、図４０の矢印Ａ方向から見た光源部３１における上面図である。図４３は、図４１の矢印Ｂ方向から見た光源部３１における側面図である。図４４は、図４０の矢印Ｃ方向から見た光源部３１における側面図である。なお、ここでも、光源部３１が発生する照明光の出射側を正面と定義する。
【０１５０】
図４０〜図４４に示す光源部３１が、図３５〜図３９の光源部３１と異なる点は、ミラー５４の配置位置である。図４０〜図４４に示す光源部３１において、第１のバンク群４０およびプリズム群４４と第２のバンク群４１およびプリズム群４４ａとは、それぞれ同じ構成となっている。
【０１５１】
これら第１のバンク群４０、プリズム群４４および第２のバンク群４１、プリズム群４４ａは、図３５〜図３９の第１のバンク群４０およびプリズム群４４と同様の構成からなる。
【０１５２】
また、第１のバンク群４０および第２のバンク群４１は、図４２に示すように上方から見るとＬ字状に配置されている。プリズム群４４とプリズム群４４ａとからそれぞれ出射される光線束の偏光は同一の方向である。
【０１５３】
この場合、プリズム群４４ａを構成するプリズム９６〜１０１は、図３７と同様であるが、図３７の場合には、光線束が中央部から第１のバンク群４０の照射面側にオフセットして集められていたが、図４２の場合、プリズム群４４ａは、光線束を中央部から第１のバンク群４０の照射面側と反対側にオフセットして集めてコンデンサレンズ３２に入射させる。
【０１５４】
すなわち、図４０〜図４４の光源部３１の場合、プリズム群４４ａは、第２のバンク群４１の光線束を図４２におけるミラー５４の左側を通過してそのままコンデンサレンズ３２に入射されるように屈折して出射する。
【０１５５】
これによっても、放熱機構を小型化することができるので、光源部３１をより小型化することができ、使用部品数の低減によるコストダウンにも貢献することができる。
【０１５６】
（実施の形態７）
図４５は、本実施の形態７による光源部３１の正面方向における概観斜視図である。図４６は、図４５の光源部３１の背面方向における概観斜視図である。図４７は、図４５の矢印Ａ方向から見た光源部３１における上面図である。図４８は、図４６の矢印Ｂ方向から見た光源部３１における側面図である。図４９は、図４５の矢印Ｃ方向から見た光源部３１における側面図である。なお、ここでも、光源部３１が発生する照明光の出射側を正面と定義する。
【０１５７】
〈光源部の構成例〉
本実施の形態７の図４５〜図４９に示す光源部３１が、前記実施の形態６の図３５〜図３９の光源部と異なるところは、ダイクロイックミラー５４の特性および第２のバンク群４１を構成するレーザダイオードバンク４８〜５０の積層構造である。
【０１５８】
図３５〜図３９に示すレーザダイオードバンク４８〜５０は、図３０〜図３４に示したレーザダイオードバンク４８〜５０に対して９０°回転して鉛直方向に積層されている。そのため、光線束の偏光が９０°異なっている。
【０１５９】
図４５〜図４９に示すダイクロイックミラー５４は、偏光特性を有するダイクロイックミラー、いわゆる偏光ダイクロイックミラーが用いられている。偏光特性を有するダイクロイックミラー５４は、図４７に示すように第１のバンク群４０のレーザダイオードバンク４５〜４７から発生した光は反射させ、第２のバンク群４１のレーザダイオードバンク４８〜５０から発生した光は透過させる。
【０１６０】
よって、第１のバンク群４０の行方向の光線束は、プリズム群４４によって屈折されて狭められ、ダイクロイックミラー５４によって反射された後、コンデンサレンズ３２に入射させる。また、第２のバンク群４１の行方向の光線束は、プリズム群４４ａによって屈折されて狭められ、ダイクロイックミラー５４を通過した後、コンデンサレンズ３２に入射させる。
【０１６１】
なお、ダイクロイックミラー５４の代わりにＰＢＳ（偏光ビームスプリッタ：Polarizing Beam Splitter）を使用しても良い。
【０１６２】
これによっても、放熱機構を小型化することができるので、光源部３１をより小型化することができ、使用部品数の低減によるコストダウンにも貢献することができる。
【０１６３】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１６４】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。
【０１６５】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１６６】
１０  投射型映像表示装置
１１ａ  ダイクロイックミラー
１１ｂ  ダイクロイックミラー
１２ａ  反射ミラー
１３ａ  フィールドレンズ
１３ｂ  フィールドレンズ
１３ｃ  フィールドレンズ
１４ａ  フィールドレンズ
１５ａ  液晶パネル
１５ｂ  液晶パネル
１５ｃ  液晶パネル
１６ａ  第１偏光フィルタ
１７ａ  第２偏光フィルタ
１８  クロスダイクロイックプリズム
１９  投射レンズ
２０  コリメートレンズ
２１  コリメートレンズ
２２  マルチレンズ
２４  重畳レンズ
２５  蛍光ホイール
２６  拡散板
３０  照明光学系
３１  光源部
３２  コンデンサレンズ
３３  凹レンズ
３４  マルチレンズ
３６  偏光ダイクロミラー
３７  コリメートレンズ
４０  第１のバンク群
４１  第２のバンク群
４２  第１のミラー群
４３  第２のミラー群
４４  プリズム群
４４ａ  プリズム群
４５〜４７  レーザダイオードバンク
４８〜５０  レーザダイオードバンク
５１  ミラー
５２  ミラー
５４  ダイクロイックミラー
５４  ミラー
５５  ミラー
５９〜６６  プリズム
８０  ミラー群
８８  レーザダイオード
９０〜１０１  プリズム
【図１】
2019086532.tif 000003
【図２】
2019086532.tif 000004
【図３】
2019086532.tif 000005
【図４】
2019086532.tif 000006
【図５】
2019086532.tif 000007
【図６】
2019086532.tif 000008
【図７】
2019086532.tif 000009
【図８】
2019086532.tif 000010
【図９】
2019086532.tif 000011
【図１０】
2019086532.tif 000012
【図１１】
2019086532.tif 000013
【図１２】
2019086532.tif 000014
【図１３】
2019086532.tif 000015
【図１４】
2019086532.tif 000016
【図１５】
2019086532.tif 000017
【図１６】
2019086532.tif 000018
【図１７】
2019086532.tif 000019
【図１８】
2019086532.tif 000020
【図１９】
2019086532.tif 000021
【図２０】
2019086532.tif 000022
【図２１】
2019086532.tif 000023
【図２２】
2019086532.tif 000024
【図２３】
2019086532.tif 000025
【図２４】
2019086532.tif 000026
【図２５】
2019086532.tif 000027
【図２６】
2019086532.tif 000028
【図２７】
2019086532.tif 000029
【図２８】
2019086532.tif 000030
【図２９】
2019086532.tif 000031
【図３０】
2019086532.tif 000032
【図３１】
2019086532.tif 000033
【図３２】
2019086532.tif 000034
【図３３】
2019086532.tif 000035
【図３４】
2019086532.tif 000036
【図３５】
2019086532.tif 000037
【図３６】
2019086532.tif 000038
【図３７】
2019086532.tif 000039
【図３８】
2019086532.tif 000040
【図３９】
2019086532.tif 000041
【図４０】
2019086532.tif 000042
【図４１】
2019086532.tif 000043
【図４２】
2019086532.tif 000044
【図４３】
2019086532.tif 000045
【図４４】
2019086532.tif 000046
【図４５】
2019086532.tif 000047
【図４６】
2019086532.tif 000048
【図４７】
2019086532.tif 000049
【図４８】
2019086532.tif 000050
【図４９】
2019086532.tif 000051